(57)【要約】      （修正有）【課題】一体型流体コネクタを有するアクセス装置及び制御バルブを提供する。【解決手段】アクセス装置１０は、アクセスハウジング１２と、アクセスハウジング１２から延在するアクセス部材１４と、アクセスハウジング１２に取り付けられた流体コネクタ３４と、流体コネクタ３４に取り付けられた制御バルブと、を含む。制御バルブは、流体コネクタ３４に対して、下側にある体腔の迅速な脱気を可能にする脱気動作状態に対応する第１の位置と、送気流体がアクセス部材への流れることを可能にする送気動作状態に対応する第２の位置と、閉鎖動作状態に対応する第３の位置と、の間で位置決め可能である。【選択図】図１
2019048051.tif 000002
【特許請求の範囲】
【請求項１】
アクセス装置であって、
アクセスハウジングと、
前記アクセスハウジングから延在するアクセス部材であって、前記アクセスハウジング及び前記アクセス部材が、中央長手方向軸を画定し、外科用物体の通過のための長手方向開口部を有する、アクセス部材と、
前記アクセスハウジングに取り付けられた流体コネクタであって、前記流体コネクタが、バルブチャンバセグメント、ならびに前記バルブチャンバセグメント及び前記長手方向軸に対して半径方向外向きに垂下する、カプラセグメントを含み、前記流体コネクタが、少なくとも前記バルブチャンバセグメント及び前記カプラセグメントを通って延在する流体通路を画定し、前記バルブチャンバセグメントが、前記流体通路と流体連通するチャンバ出口ポートを画定し、前記カプラセグメントが、送気流体源への連結のために構成されている、流体コネクタと、
前記バルブチャンバセグメント内に少なくとも部分的に位置決めされたバルブステムを含む制御バルブであって、前記バルブステムが、前記バルブステムを通って延在するバルブチャネル、及び前記バルブチャネルと流体連通するバルブ吸入ポートを含み、前記制御バルブが、前記バルブ吸入ポートが前記アクセス部材と流体連通し、前記バルブチャネルが前記流体コネクタの前記チャンバ出口ポートと流体連通することによって、前記送気流体の前記アクセス部材に対する流出を可能にする、脱気動作状態に対応する第１の位置、前記バルブチャネルが前記流体コネクタの前記流体通路及び送気流体源と流体連通して、送気流体の前記送気流体源から前記アクセス部材への通過を可能にする、送気動作状態に対応する第２の位置、ならびに前記バルブステムが前記流体通路を横切って、送気流体の前記アクセス部材からの放出を防止する、閉鎖動作状態に対応する第３の位置、の間で選択的に位置決め可能である、制御バルブと、を備えている、アクセス装置。
【請求項２】
制御バルブが、第１、第２及び第３の位置の間で回転軸の周りで回転するように構成されている、請求項１に記載のアクセス装置。
【請求項３】
前記回転軸が、アクセス部材の長手方向中央軸に平行である、請求項２に記載のアクセス装置。
【請求項４】
前記制御バルブの前記バルブチャネルが線形であり、バルブチャネル軸の周りに配列されている、請求項１に記載のアクセス装置。
【請求項５】
前記バルブ吸入ポートが、前記バルブチャネルを横切るように構成され、バルブ吸入ポート軸の周りに配列されている、請求項４に記載のアクセス装置。
【請求項６】
前記バルブステムが、前記バルブ吸入ポート軸に沿って前記バルブ吸入ポートに対向する閉鎖側部を含む、請求項５に記載のアクセス装置。
【請求項７】
前記バルブステムの前記閉鎖側部が、前記制御バルブが前記第１の位置にあるときに、前記流体コネクタの前記チャンバ出口ポートの半径方向外向きに位置決めされ、前記流体コネクタの前記流れ通路を横切る、請求項６に記載のアクセス装置。
【請求項８】
前記バルブステムの前記閉鎖側部が、前記制御バルブが前記第２の位置にあるときに、前記流体コネクタの前記バルブチャンバセグメントの前記チャンバ出口ポートを閉じるように構成されている、請求項７に記載のアクセス装置。
【請求項９】
前記バルブステムの前記閉鎖側部が、前記制御バルブが前記第３の位置にあるときに、前記チャンバ出口ポートの半径方向内向きに位置決めされ、前記流体コネクタの前記流れ通路を横切る、請求項８に記載のアクセス装置。
【請求項１０】
前記制御バルブが、前記バルブステムに接続されたバルブレバーを含み、前記バルブレバーは、手動操作のために構成され、前記第１、第２及び第３の位置の間で前記制御バルブを移動するように選択的に移動可能である、請求項２に記載のアクセス装置。
【請求項１１】
前記流体コネクタ及び前記アクセスハウジングが、モノリシックに形成されている、請求項１に記載のアクセス装置。
【請求項１２】
前記アクセスハウジングに対して取り付けられた閉鎖要素を含み、前記閉鎖要素は、そこを通る前記外科用物体の導入時に開き、前記外科用物体の非存在下で閉じるように構成されている、請求項１に記載のアクセス装置。
【請求項１３】
前記流体コネクタの前記流体通路が前記アクセスハウジングの前記長手方向開口部及び前記閉鎖要素の遠位の前記アクセス部材と流体連通している、請求項１２に記載のアクセス装置。
【請求項１４】
アクセス装置であって、
アクセスハウジングと、
前記アクセスハウジングから延在するアクセス部材であって、前記アクセスハウジング及び前記アクセス部材が、中央長手方向軸を画定し、外科用物体の通過のための長手方向開口部を有する、アクセス部材と、
前記アクセスハウジングに取り付けられ、送気流体源への連結のために構成されている流体コネクタであって、前記流体コネクタが、そこを通って延在する流体通路を画定し、前記流体コネクタが、その側壁部分に、前記流体通路と流体連通する単一出口ポートを画定する、流体コネクタと、
前記流体コネクタ内に少なくとも部分的に位置決めされた制御バルブであって、前記制御バルブが、そこを通るバルブチャネル、及び前記バルブチャネルと流体連通するバルブ吸入ポートを画定し、前記制御バルブが、
前記バルブ吸入ポートが前記流体コネクタの前記流体通路と位置合わせされ、前記流れチャネルが前記流体コネクタの前記出口ポートと位置合わせされて、前記バルブチャネル及び前記出口ポートを通る排出のための、送気流体の前記アクセス部材から前記バルブ吸入ポートを通る流れを可能にする、脱気動作状態に対応する第１の位置、
前記バルブチャネルが前記流体コネクタの前記流体通路に位置合わせされて、送気流体の前記送気流体源から前記流体通路を通る前記アクセス部材への通過を可能にする、送気動作状態に対応する第２の位置、ならびに
前記制御バルブが前記流体コネクタの前記流れ通路を横切り、送気流体の前記アクセス部材からの放出を防止する、閉鎖動作状態に対応する第３の位置、の間で選択的に位置決め可能である、制御バルブと、を備えている、アクセス装置。
【請求項１５】
前記流体コネクタ及び前記アクセスハウジングが、モノリシックに形成されている、請求項１４に記載のアクセス装置。
【請求項１６】
前記制御バルブが、前記第１、第２及び第３の位置の間で回転軸の周りで回転するように構成され、前記回転軸が、前記アクセス部材の前記中央長手方向軸に平行である、請求項１４に記載のアクセス装置。
【発明の詳細な説明】
【技術分野】
【０００１】
１．関連出願の相互参照
本出願は、２０１７年９月７日に出願された米国仮特許出願第６２／５５５，２３１の利益及び優先権を主張し、その全開示が参照により本明細書に組み込まれる。
【背景技術】
【０００２】
本開示は、アクセス装置に関し、より具体的には、腹腔鏡処置中の送気流体の流れを制御するための一体型流体コネクタ及びバルブを含むアクセス装置に関する。
【０００３】
２．関連技術の説明
腹腔鏡処置では、臨床医は、腹部の内部で、皮膚の小さい入口開口部又は切開部を通って挿入された１つ以上の細いチューブ又はカニューレを介して手術を行う。特定の例では、１つのカニューレに関連付けられている送気ポートは、カニューレが入口開口部に挿入されて患者に固定された後、腹腔に加圧ガス、例えばＣＯ２を提供し、これにより気腹を生成又は維持する。このガスは、内臓の腹壁を内部の器官から持ち上げる正の圧力を提供し、それによって、臨床医に外科用処置が行われる手術スペースを提供する。手術スペースを生成することによって、臨床医は、器具がカニューレ内で操作されている間に器官と接触することを回避する。
【０００４】
従来のカニューレは、典型的には、送気流体の流れを制御するルアーコネクタ及びストップコックバルブを含む。カニューレはまた、カニューレを介して導入される外科用物体、例えば、外科用器具の周りの密閉を確立するための物体シールを有するシールシステムと、外科用物体が存在しない場合にカニューレを通る加圧ガスの解放を防止するためのゼロ閉鎖バルブと、を包含する。より大きな直径のカニューレのうちのいくつかでは、シールシステムは、カニューレに対して取り外し可能であり得、これにより処置の実施後の腹部からの送気ガスの解放を支援する。
【発明の概要】
【課題を解決するための手段】
【０００５】
したがって、本開示は、カニューレ等のアクセス装置、特に、例えば５ミリメートル（ｍｍ）以下の比較的小さい直径を有し、取り外し可能シールシステムを有さないカニューレを介して、送気流体の入口及び出口の制御における改良に関する。一実施形態では、アクセス装置は、アクセスハウジングと、アクセスハウジングから延在するアクセス部材と、アクセスハウジングに取り付けられた流体コネクタと、制御バルブと、を含む。アクセスハウジング及びアクセス部材は、中央長手方向軸及び外科用物体の通過のための長手方向開口部を画定する。流体コネクタは、バルブチャンバセグメントと、バルブチャンバセグメントに対して半径方向外向きに垂下するカプラセグメントとを含む。流体コネクタは、少なくともバルブチャンバセグメント及びカプラセグメントを通って延在する流体通路を画定する。バルブチャンバセグメントは、流体通路と流体連通するチャンバ出口ポートを画定する。カプラセグメントは、送気流体源との連結のために構成されている。制御バルブは、バルブチャンバセグメント内に少なくとも部分的に位置決めされたバルブステムを含む。バルブステムは、バルブステムを通って延在するバルブチャネルと、バルブチャネルと流体連通するバルブ吸入ポートとを含む。制御バルブは、バルブ吸入ポートがアクセス部材と流体連通し、バルブチャネルが流体コネクタのチャンバ出口ポートと流体連通することによって、送気流体のアクセス部材に対する流出を可能にする、脱気動作状態に対応する第１の位置と、バルブチャネルが流体コネクタの流体通路と流体連通して、送気流体の送気流体源からアクセス部材への通過を可能にする、送気動作状態に対応する第２の位置と、バルブステムが流体通路を横切って、送気流体のアクセス部材への放出を防止し、例えば気腹を維持する、閉鎖動作状態に対応する第３の位置と、の間で選択的に位置決め可能である。
【０００６】
一実施形態では、制御バルブは、第１、第２及び第３の位置の間で回転軸の周りで回転するように構成されている。いくつかの実施形態では、回転軸は、アクセス部材の中央長手方向軸に平行である。
【０００７】
特定の実施形態では、制御バルブのバルブチャネルは線形であり、バルブチャネル軸の周りに配列されている。実施形態では、バルブ吸入ポートは、バルブチャネルを横切るように構成され、バルブ吸入ポート軸の周りに配列されている。いくつかの実施形態では、バルブステムは、バルブ吸入ポート軸に沿ってバルブ吸入ポートに対向する閉鎖側部を含む。実施形態では、バルブステムの閉鎖側部は、制御バルブの第１の位置にあるときに、流体コネクタのチャンバ出口ポートの半径方向外向きに位置決めされ、流体コネクタの流れ通路を横切る。実施形態では、バルブステムの閉鎖側部は、制御バルブの第２の位置にあるときに、流体コネクタのバルブチャンバセグメントのチャンバ出口ポートを閉じるように構成されている。いくつかの実施形態では、バルブステムの閉鎖側部は、制御バルブの第３の位置にあるときにチャンバ出口ポートの半径方向内向きに位置決めされ、流体コネクタの流れ通路を横切る。
【０００８】
実施形態において、制御バルブは、バルブステムに接続され、手動操作のために構成され、制御バルブを第１、第２及び第３の位置の間で移動させるように選択的に移動可能なバルブレバーを含む。
【０００９】
いくつかの実施形態では、流体コネクタ及びアクセスハウジングは、モノリシックに形成されている。
【００１０】
特定の実施形態では、閉鎖要素は、アクセスハウジングに対して取り付けられている。閉鎖要素は、そこを通る外科用物体の導入時に開くように構成され、外科用物体の非存在下で閉じるように構成されている。実施形態では、流体コネクタの流体通路は、閉鎖要素の遠位のアクセスハウジング及びアクセス部材の長手方向開口部と流体連通している。
【００１１】
一実施形態では、アクセス装置は、アクセスハウジングと、アクセスハウジングから延在するアクセス部材と、アクセスハウジングに取り付けられ、送気流体源への連結のために構成された流体コネクタと、流体コネクタ内に少なくとも部分的に位置決めされている制御バルブと、を含む。アクセスハウジング及びアクセス部材は、中央長手方向軸を画定し、外科用物体の通過のための長手方向開口部を有する。流体コネクタは、そこを通って延在する流体通路を画定し、流体通路と流体連通する側壁部分に出口ポートを有する。制御バルブは、そこを通るバルブチャネル及びバルブチャネルと流体連通するバルブ吸入ポートを画定する。制御バルブは、バルブ吸入ポートが流体コネクタの流体通路と位置合わせされ、流れチャネルが流体コネクタの出口ポートと位置合わせされて、バルブチャネル及び出口ポートを通る排出のための、送気流体のバルブ吸入ポートを通るアクセス部材からの流れを可能にする、脱気動作状態に対応する第１の位置と、バルブチャネルが流体コネクタの流体通路に位置合わせされて、送気流体の送気流体源からの流体通路を通るアクセス部材への通過を可能にする、送気動作状態に対応する第２の位置と、制御バルブが流体コネクタの流れ通路を横切って、送気流体のアクセス部材からの放出を防止する、閉鎖動作状態に対応する第３の位置と、の間で選択的に位置決め可能である。
【００１２】
実施形態では、流体コネクタ及びアクセスハウジングは、モノリシックに形成されている。いくつかの実施形態では、制御バルブは、第１、第２及び第３の位置の間で回転軸の周りで回転するように構成され、それによって回転軸はアクセス部材の中央長手方向軸に平行となる。
【００１３】
一体型流体コネクタ及び制御バルブは、３つの動作状態、すなわち、脱気、送気及び閉鎖動作の動作状態の間で装置が機能することを可能にする。流体コネクタは、アクセスハウジングと一体に形成され、その側壁に１つの開口部のみを必要とする。流体コネクタと組み合わせられた制御バルブは、取り外し可能なシールシステムがない場合でも迅速な脱気を可能にする。
【００１４】
本開示の他の利点は以下の説明から理解されるであろう。
例えば本願は以下の項目を提供する。
（項目１）
アクセス装置であって、
アクセスハウジングと、
上記アクセスハウジングから延在するアクセス部材であって、上記アクセスハウジング及び上記アクセス部材が、中央長手方向軸を画定し、外科用物体の通過のための長手方向開口部を有する、アクセス部材と、
上記アクセスハウジングに取り付けられた流体コネクタであって、上記流体コネクタが、バルブチャンバセグメント、ならびに上記バルブチャンバセグメント及び上記長手方向軸に対して半径方向外向きに垂下する、カプラセグメントを含み、上記流体コネクタが、少なくとも上記バルブチャンバセグメント及び上記カプラセグメントを通って延在する流体通路を画定し、上記バルブチャンバセグメントが、上記流体通路と流体連通するチャンバ出口ポートを画定し、上記カプラセグメントが、送気流体源への連結のために構成されている、流体コネクタと、
上記バルブチャンバセグメント内に少なくとも部分的に位置決めされたバルブステムを含む制御バルブであって、上記バルブステムが、上記バルブステムを通って延在するバルブチャネル、及び上記バルブチャネルと流体連通するバルブ吸入ポートを含み、上記制御バルブが、上記バルブ吸入ポートが上記アクセス部材と流体連通し、上記バルブチャネルが上記流体コネクタの上記チャンバ出口ポートと流体連通することによって、上記送気流体の上記アクセス部材に対する流出を可能にする、脱気動作状態に対応する第１の位置、上記バルブチャネルが上記流体コネクタの上記流体通路及び送気流体源と流体連通して、送気流体の上記送気流体源から上記アクセス部材への通過を可能にする、送気動作状態に対応する第２の位置、ならびに上記バルブステムが上記流体通路を横切って、送気流体の上記アクセス部材からの放出を防止する、閉鎖動作状態に対応する第３の位置、の間で選択的に位置決め可能である、制御バルブと、を備えている、アクセス装置。
（項目２）
制御バルブが、第１、第２及び第３の位置の間で回転軸の周りで回転するように構成されている、上記項目に記載のアクセス装置。
（項目３）
上記回転軸が、アクセス部材の長手方向中央軸に平行である、上記項目のいずれか一項に記載のアクセス装置。
（項目４）
上記制御バルブの上記バルブチャネルが線形であり、バルブチャネル軸の周りに配列されている、上記項目のいずれか一項に記載のアクセス装置。
（項目５）
上記バルブ吸入ポートが、上記バルブチャネルを横切るように構成され、バルブ吸入ポート軸の周りに配列されている、上記項目のいずれか一項に記載のアクセス装置。
（項目６）
上記バルブステムが、上記バルブ吸入ポート軸に沿って上記バルブ吸入ポートに対向する閉鎖側部を含む、上記項目のいずれか一項に記載のアクセス装置。
（項目７）
上記バルブステムの上記閉鎖側部が、上記制御バルブが上記第１の位置にあるときに、上記流体コネクタの上記チャンバ出口ポートの半径方向外向きに位置決めされ、上記流体コネクタの上記流れ通路を横切る、上記項目のいずれか一項に記載のアクセス装置。
（項目８）
上記バルブステムの上記閉鎖側部が、上記制御バルブが上記第２の位置にあるときに、上記流体コネクタの上記バルブチャンバセグメントの上記チャンバ出口ポートを閉じるように構成されている、上記項目のいずれか一項に記載のアクセス装置。
（項目９）
上記バルブステムの上記閉鎖側部が、上記制御バルブが上記第３の位置にあるときに、上記チャンバ出口ポートの半径方向内向きに位置決めされ、上記流体コネクタの上記流れ通路を横切る、上記項目のいずれか一項に記載のアクセス装置。
（項目１０）
上記制御バルブが、上記バルブステムに接続されたバルブレバーを含み、上記バルブレバーは、手動操作のために構成され、上記第１、第２及び第３の位置の間で上記制御バルブを移動するように選択的に移動可能である、上記項目のいずれか一項に記載のアクセス装置。
（項目１１）
上記流体コネクタ及び上記アクセスハウジングが、モノリシックに形成されている、上記項目のいずれか一項に記載のアクセス装置。
（項目１２）
上記アクセスハウジングに対して取り付けられた閉鎖要素を含み、上記閉鎖要素は、そこを通る上記外科用物体の導入時に開き、上記外科用物体の非存在下で閉じるように構成されている、上記項目のいずれか一項に記載のアクセス装置。
（項目１３）
上記流体コネクタの上記流体通路が上記アクセスハウジングの上記長手方向開口部及び上記閉鎖要素の遠位の上記アクセス部材と流体連通している、上記項目のいずれか一項に記載のアクセス装置。
（項目１４）
アクセス装置であって、
アクセスハウジングと、
上記アクセスハウジングから延在するアクセス部材であって、上記アクセスハウジング及び上記アクセス部材が、中央長手方向軸を画定し、外科用物体の通過のための長手方向開口部を有する、アクセス部材と、
上記アクセスハウジングに取り付けられ、送気流体源への連結のために構成されている流体コネクタであって、上記流体コネクタが、そこを通って延在する流体通路を画定し、上記流体コネクタが、その側壁部分に、上記流体通路と流体連通する単一出口ポートを画定する、流体コネクタと、
上記流体コネクタ内に少なくとも部分的に位置決めされた制御バルブであって、上記制御バルブが、そこを通るバルブチャネル、及び上記バルブチャネルと流体連通するバルブ吸入ポートを画定し、上記制御バルブが、
上記バルブ吸入ポートが上記流体コネクタの上記流体通路と位置合わせされ、上記流れチャネルが上記流体コネクタの上記出口ポートと位置合わせされて、上記バルブチャネル及び上記出口ポートを通る排出のための、送気流体の上記アクセス部材から上記バルブ吸入ポートを通る流れを可能にする、脱気動作状態に対応する第１の位置、
上記バルブチャネルが上記流体コネクタの上記流体通路に位置合わせされて、送気流体の上記送気流体源から上記流体通路を通る上記アクセス部材への通過を可能にする、送気動作状態に対応する第２の位置、ならびに
上記制御バルブが上記流体コネクタの上記流れ通路を横切り、送気流体の上記アクセス部材からの放出を防止する、閉鎖動作状態に対応する第３の位置、の間で選択的に位置決め可能である、制御バルブと、を備えている、アクセス装置。
（項目１５）
上記流体コネクタ及び上記アクセスハウジングが、モノリシックに形成されている、上記項目のいずれか一項に記載のアクセス装置。
（項目１６）
上記制御バルブが、上記第１、第２及び第３の位置の間で回転軸の周りで回転するように構成され、上記回転軸が、上記アクセス部材の上記中央長手方向軸に平行である、上記項目のいずれか一項に記載のアクセス装置。
（摘要）
アクセス装置は、アクセスハウジングと、アクセスハウジングから延在するアクセス部材と、アクセスハウジングに取り付けられた流体コネクタと、流体コネクタに取り付けられた制御バルブと、を含む。制御バルブは、流体コネクタに対して、下側にある体腔の迅速な脱気を可能にする脱気動作状態に対応する第１の位置と、送気流体がアクセス部材への流れることを可能にする送気動作状態に対応する第２の位置と、閉鎖動作状態に対応する第３の位置と、の間で位置決め可能である。
【図面の簡単な説明】
【００１５】
本開示の実施形態は、添付図面を参照することによって理解されるであろう。
【００１６】
【図１】アクセスハウジングと、アクセスハウジングに取り付けられた制御バルブを有する一体型流体コネクタと、アクセスハウジングから延在するアクセス部材と、を示す、本開示による外科用アクセス装置の斜視図である。
【図２】アクセス装置の分解斜視図である。
【図３】アクセス装置の制御バルブの第１の斜視図である。
【図４】アクセス装置の制御バルブの部分断面図における第２の斜視図である。
【図５】アクセス装置の脱気動作状態に対応する制御バルブの第１の位置を示す、図１の線５−５に沿った断面図である。
【図６】アクセス装置の送気動作状態に対応する制御バルブの第２の位置を示す図５の図と同様の断面図である。
【図７】アクセス装置の閉鎖動作状態に対応する制御バルブの第３の位置を示す図５の図と同様の断面図である。
【発明を実施するための形態】
【００１７】
本開示の特定の実施形態は、添付の図面の参照により下記本明細書に記載される。しかしながら、開示された実施形態は、本開示のほんの一例にすぎず、様々な形態で具現化され得ることが理解されるべきである。既知の機能又は構造体は、不必要な詳細で本開示を曖昧にすることを避けるために、詳細には記載されない。したがって、本明細書に開示された特定の構造的及び機能的詳細は、限定するものと解釈されるべきではなく、当業者が本開示を事実上適切に詳細な構造で用いるための、請求項の基本事項、及び教示の代表的な基本事項であるにすぎない。
【００１８】
本開示は、標的部位への経皮的アクセスを可能にするように適合された様々な外科用アクセスデバイスに適用される。これらのアクセスデバイスには、トロカール及び／又はカニューレ、カテーテル、ハンドアクセスデバイスなどが含まれるが、これに限定されない。本開示は、例えば、内視鏡、関節鏡、胸部等を含む様々な外科用処置において使用することが意図されるが、腹腔内で行われる腹腔鏡手術に特に適用される。
【００１９】
以下の説明では、慣例的であるように、用語「近位」とは、臨床医に最も近い器具の部分を指し、一方で、用語「遠位」とは、臨床医から最も遠い器具の部分を指す。
【００２０】
ここで図１〜図２を参照すると、本開示のアクセス装置が示されている。アクセス装置１０は、体腔にアクセスする意図された目的に適した任意の部材であり、典型的には器具又は臨床医の手の導入を可能にする通路を画定する。アクセス装置１０は、特に、腹腔又は腹膜腔が適切な流体又はガス、例えばＣＯ２で送気されて、腔壁をその内部の器官から持ち上げる腹腔鏡手術での使用に適している。アクセス装置１０は、典型的には、アクセス装置１０の通路内に位置決め可能な、鈍い、非ブレード状の、又は鋭利な尖った器具であり得る栓子アセンブリ（図示せず）と共に使用される。栓子アセンブリは、アクセス装置１０を腹壁を通して導入するように腹壁を貫通するために利用され、その後アクセス装置１０から取り外されて、通路を通る処置を実行するために利用される外科用器具の導入を可能にする。
【００２１】
アクセス装置１０は、アクセスハウジング１２と、アクセスハウジング１２に連結されたアクセス部材１４と、を含む。アクセスハウジング１２及びアクセス部材１４は、集合的に、長手方向軸「ｋ」を画定し、そこを通る長手方向開口部１６（図１及び図２の切り欠き部分）を有する。アクセス部材１４は、その長さの少なくとも一部に沿って円筒形であり得、近位端セグメント１８及び遠位端部セグメント２０を画定する。アクセス番号１４は、腹腔「ｃ」内に導入されるために寸法決めされたカニューレであり得、その外壁１４ａに、長手方向開口部１６と連通し、送気流体の通過又は解放のために、遠位端セグメント２０に隣接するポート開口部２２を含み得る。代替案では、アクセス部材１４は、送気流体を通過させるための別個のチューブ又はチャネルを含み得る。アクセス部材１４は、カニューレの形態で、３ｍｍ〜１５ｍｍの範囲であり得る。実施形態では、アクセス部材１４は、５ｍｍ以下の直径を有する。
【００２２】
アクセスハウジング１２は、ハウジングセグメント２４と、ハウジングセグメント２４内に配置された閉鎖要素２６と、カバー２８と、を含む。ハウジングセグメント２４及びアクセス部材１４は、単一のユニットとしてモノリシックに形成されてもよく、又は従来の手段によって互いに固定された別個の構成要素であってもよい。ハウジングセグメント２４は、長手方向軸「ｋ」に対して遠位方向に半径方向内向きに先細になる半半球形状又は楕円形状を画定する。閉鎖要素２６は、外科用物体の通過時に開き、外科用物体の非存在下で、及び／又は下側の送気流体によって提供される圧力に応答して、閉じるように構成されているゼロ閉鎖バルブである。閉鎖要素２６は、閉鎖要素２６を通る通路を提供するスリット２６ａを画定するダックビルバルブであってもよい。他のゼロ閉鎖バルブもまた考えられる。アクセスハウジング１２はまた、そこを通って導入される外科用物体又は器具の周りで密閉関係を確立するように構成されている物体シール（図示せず）を含み得る。適切な物体シールは、セプタムシール、シングルスリットシール、ダブルスリットシール等が含まれる。
【００２３】
カバー２８は、閉鎖要素２６及びアクセス装置１０の内部を取り囲むように、従来の手段を介してハウジングセグメント２４に固定される。カバー２８は、長手方向開口部１６に通じる中央開口部３０を含む。カバー２８は、アクセス装置１０を手術部位に対して固定するための縫合糸（図示せず）を受けるための直径方向に対向する開口部３２を含み得る。
【００２４】
引き続き図１〜図２を参照すると、アクセスハウジング１２は、ハウジングセグメント２４の外面から半径方向外向きに垂下する流体コネクタ３４を更に含む。流体コネクタ３４は、ハウジングセグメント２４と一体であり、一実施形態では、ハウジングセグメント２４とモノリシックに形成されている。代替案では、流体コネクタ３４は、機械的連結、接着剤等を介してハウジングセグメント２４に固定された別個の構成要素であり得る。流体コネクタ３４は、バルブチャンバセグメント３６と、バルブチャンバセグメント３６に対して半径方向外向きに垂下するカプラセグメント３８と、を含む。バルブチャンバセグメント３６は、一実施形態では中央長手方向軸「ｋ」と略平行な関係にあるチャンバ軸「ｍ」（図２）の周りに配列される。バルブチャンバセグメント３６は、略円筒形の構成を有する内部チャンバ４０と、その側壁部分３６ａを通って延在し、内部チャンバ４０と流体連通する単一チャンバ出口ポート４２と、を画定する。カプラセグメント３８は、そこを通る中央流れボア４４を画定し、送気システムの配管又は加圧流体源に連結するための外部雄ねじ４６（例えば、ルアーカップリング）を有する。
【００２５】
ここで図２に関連して図３及び図４を参照すると、アクセス装置１０は、流体コネクタ３４のバルブチャンバセグメント３６に対して位置決め可能な流量制御バルブ４８を含む。制御バルブ４８は、バルブステム５０と、バルブステム５０に連結されたバルブレバー５２と、を含む。バルブレバー５２は、バルブチャンバセグメント３６に対して制御バルブ４８を移動、例えば、回転させるように、臨床医によって係合されるために構成されている。バルブステム５０は、断面が略円筒形であり、バルブチャンバセグメント３６の対応する寸法の内部チャンバ４０内に受けられる。バルブステム５０は、バルブチャネル軸「ｂ」の周りに配列され、バルブステム５０の両側を完全に通って延在する線形バルブチャネル５４と、バルブステム５０の一方の側に、バルブバルブチャネル５４と連通するバルブ吸入ポート５６と、を含む。（図４）バルブ吸入ポート５６は、バルブ吸入ポート軸「ｅ」の周りに配列される。バルブステム５０は、バルブ吸入ポート５６に対向する側で（例えば、バルブ吸入ポート軸「ｅ」に沿って）閉じられ、それによりバルブ吸入ポート５６と正反対に対向するバルブステム５０の閉鎖側部５８を画定する。一実施形態では、バルブ吸入ポート５６は、バルブ吸入ポート５６のバルブ吸入ポート軸「ｅ」がバルブチャネル５４のバルブチャネル軸「ｂ」に直交するように、バルブチャネル５４に対して９０°の間隔で方向付けられる。他の方向もまた想定される。バルブ吸入ポート５６は、バルブチャネル５４の直径よりも小さい直径を画定する。バルブステム５０は、その遠位端に隣接して、取り付け凹部６２を画定する取り付けリブ６０を更に含む。取り付けリブ６０及び／又は取り付け凹部６２は、流体コネクタ３４のバルブチャンバセグメント３６内の対応する構造体（図示せず）と相互作用して、制御バルブ４８をバルブチャンバセグメント３６内に固定する。
【００２６】
バルブステム５０は、直線状であり、バルブステムを通って第１の側部から第１の側部に対向する第２の側部まで通過するバルブチャネルを有する円筒形であり得る。吸入ポート５６は、バルブチャネルに直交し、バルブステムの壁によって形成される閉鎖側部５８に対向している。
【００２７】
図５は、組み立てられたアクセス装置１０の断面を示す。図５では、流体コネクタ３４を通って延在する流れ通路「ｐ」がまた図示され、カプラセグメント３８の流れボア４４と、バルブチャンバセグメント３６の内部チャンバ４０と、バルブチャンバセグメント３６及びアクセスハウジング１２のハウジングセグメント２４の間に延在する中間流れボア６４と、を含む。流れ通路「ｐ」は、参照符号１００で概略的に示される送気流体源と、閉鎖要素２６の遠位のハウジングセグメント２４の内部との間の流体連通を可能にする。流れ通路「ｐ」は、一実施形態では、一般に、中央長手方向軸「ｋ」に直交する流れ軸「ｓ」の周りに配列される。他の配列もまた想定される。
【００２８】
図５はまた、アクセス装置１０の脱気動作状態に対応する制御バルブ４８の第１の位置を示す。第１の位置では、バルブステム５０のバルブ吸入ポート５６は、流体コネクタ３４の中間流れボア６４と位置合わせされ、それによって、アクセス部材１４との流体連通を確立し、バルブチャネル５４は、バルブチャンバセグメント３６のチャンバ出口ポート４２と位置合わせされている。バルブステム５０の閉鎖側部５８は、カプラセグメント３８の流れボア４４と位置合わせされ、それを横切り、それによって、送気流体源１００への流体通路「ｐ」を閉じる。バルブステム５０の閉鎖側部５８は、チャンバ出口ポート４２の半径方向外向きに配置されている。したがって、第１の位置では、送気流体「ｆ」は、アクセス部材１４及びハウジングセグメント２４から流体コネクタ３４内に送られ、バルブステム５０のバルブ吸入ポート５６及びバルブチャネル５４を通過し、バルブチャンバセグメント３６のチャンバ出口ポート４２から迅速に流出する。
【００２９】
図６は、アクセス装置１０の送気動作状態に対応する制御バルブ４８の第２の位置を示す。第２の位置では、バルブステム５０の閉鎖側部５８は、バルブチャンバセグメント３６のチャンバ出口ポート４２を横切るか、遮断するか又は覆い、一方で、バルブステム５０のバルブチャネル５４は、カプラセグメント３８の流れボア４４と位置合わせされ、それによって、流体コネクタ３４を通る流れ通路「ｐ」を完全に開く。したがって、第２の位置では、送気流体「ｆ」は、送気流体源１００から流体コネクタ３４を通ってハウジングセグメント２４及び／又はアクセスハウジング１２内の閉鎖要素２６の遠位のアクセス部材１４に入る。
【００３０】
図７は、アクセス装置１０の閉鎖動作状態に対応する制御バルブ４８の第３の位置を示す。第３の位置では、バルブステム５０の閉鎖側部５８は、チャンバ出口ポート４２の半径方向内向きに配置され、流体コネクタ３４の流れボア６４を横切るか又は遮断するように配列され、それによって、アクセス部材１４に対して、流体コネクタ３４の流体通路「ｐ」を閉じ、例えば、アクセス部材１４からの送気流体「ｆ」の放出を防止する。第３の状態では、気腹は、送気流体源１００とアクセス部材１４との間で送気流体が通過しなくても維持される。送気流体源１００はまた、例えば、送気流体源１００に関連付けられているバルブを閉じることによって、又は、源をオフモードの動作に変えることによって、無効にし得る。
【００３１】
次に、アクセス装置１０の使用について説明する。アクセス装置１０は、腹壁を通して導入され、下側にある腹腔にアクセスする。１つの技法によれば、栓子（図示せず）がアクセス装置１０内に位置決めされ、腹壁を通って、例えば腹壁内に予め形成された切開部を通して、又は栓子によって形成された開口部を通して進められ、図１に図示されるように、腹腔「ｃ」内のアクセス部材１４の少なくとも遠位端セグメント２０を位置決めする。腹腔「ｃ」にアクセスする前に、腹腔「ｃ」は、気腹を確立するために送気針を介して導入される、送気流体ＣＯ２で少なくとも部分的に又は完全に拡張され得る。外科用物体、例えば、把持器、はさみ、電気外科用器具、ステープラー等の腹腔鏡手術器具は、アクセス装置１０を通って下側にある手術部位に進められて外科用措置を行い得る。処置の間に送気流体が気腹を確立又は維持するために必要とされる場合、制御バルブ４８は、送気動作状態に対応する図６の位置に方向付けられ得、それによって、腹腔「ｃ」内への送達のために、送気流体源１００から流体コネクタ３４を通ってアクセス部材１４へ送気流体が通過することを可能にする。所望の気腹状態が達成されると、制御バルブ４８は、流体コネクタ３４の流れ通路「ｐ」を通り、制御バルブ４８を通る、送気流体の放出を遮断する閉鎖動作状態に対応する図７の位置に操作され得る。手術が完了したとき、又は腹腔の迅速な脱気が必要であると判断されたとき、制御バルブ４８は、バルブステム５０のバルブ吸入ポート５６を流体コネクタの中間流れボア６４と位置合わせし、バルブチャネル５４をバルブチャンバセグメント３６のチャンバ出口ポート４２に位置合わせする、脱気動作状態に対応する図５に図示される第１の位置に操作される。したがって、第１の位置では、送気流体「ｆ」は、アクセス部材１４及びアクセスハウジング１２を通過して、バルブ吸入ポート５６及びバルブチャネル５４を通って流体コネクタ３４内に入り、バルブチャンバセグメント３６のチャンバ出口ポート４２を迅速に流出する。
【００３２】
したがって、本開示の一体型流体コネクタ３４及び制御バルブ４８は、着脱可能なシールシステムの除去を必要とせずに迅速な脱気の能力を提供する。流体コネクタ３４の側壁には１つの出口孔、すなわちチャンバ出口ポート４２が必要であり、バルブチャネル５４及びバルブステム５０のバルブ吸入ポート５６のそれぞれの構成と組み合わせて、アクセス装置１０の３つの動作状態の間の迅速な移行を可能にする。
【００３３】
上記の説明及び図面は、本開示の実施形態を説明し、いかなる方法でも本開示の範囲を限定することを意図しない目的のために提供される。当業者には、本開示の精神又は範囲から逸脱することなく、様々な変更及び変形が可能であることが明らかであろう。したがって、本開示は、添付の特許請求の範囲及びそれらの等価物の範囲内に入るならば、本開示の修正及び変形を包含することが意図される。
【図１】
2019048051.tif 000003
【図２】
2019048051.tif 000004
【図３】
2019048051.tif 000005
【図４】
2019048051.tif 000006
【図５】
2019048051.tif 000007
【図６】
2019048051.tif 000008
【図７】
2019048051.tif 000009